(57)【要約】  マルチスピーカシステムにおいて音量を調整する場合、あるスピーカは、音量を、他のスピーカに対して不均衡に変化させないことが望ましい。１つ以上のスピーカの音量レベルを調整するための方法が提示される。各スピーカは、当該スピーカに入力される論理ボリュームレベルと当該スピーカにより生成される音圧レベルとの間に、標準化されていない関係を有することができる。ある音圧レベルに対応する選択された音量レベルは、ユーザインターフェースを介して受信され得る。格納されたルックアップテーブルにアクセスして、その音圧レベルを各スピーカのための第１の製品固有の論理音量レベルに変換することができる。その格納されたルックアップテーブルは、各スピーカのための、論理音量レベルと音圧レベルの間の標準化されていない関係を表にすることができる。前記第１の製品固有の論理ボリュームレベルに対応するデータを、各スピーカに送信することができる。【選択図】図１
2020526064.tif 000002
【特許請求の範囲】
【請求項１】
第１のスピーカの音量レベルを調整する方法であって、前記第１のスピーカは、前記スピーカに入力される論理音量レベルと前記スピーカによって生成される音圧レベルとの間に標準化されていない関係を有し、前記方法は、
ユーザインタフェースを介して、ある音圧レベルに対応する、ある選択された音量レベルを受け付けるステップと、
格納されたルックアップテーブルにアクセスして、前記音圧レベルを、前記第１のスピーカのための第１の製品固有の論理音量レベルに変換するステップであって、前記ルックアップテーブルは前記第１のスピーカのための論理音量レベルと音圧レベルの間の前記標準化されていない関係を表にしているステップと、
前記第１の製品固有の論理音量レベルに対応するデータを前記第１のスピーカに送信するステップと、
を備えた方法。
【請求項２】
前記格納されたルックアップテーブルにアクセスして、前記音圧レベルを、第２のスピーカのための第２の製品固有の論理音量レベルに変換するステップであって、前記格納されたルックアップテーブルは、前記第２のスピーカのための論理音量レベルと音圧レベルの間の標準化されていない関係を表にしており、前記第１のスピーカと前記第２のスピーカは異なる製品であるステップを更に備えた、請求項１に記載の方法。
【請求項３】
前記第２の製品固有の論理音量レベルに対応するデータを、前記第２のスピーカに送信するステップを更に備えた、請求項２に記載の方法。
【請求項４】
前記受信するステップ、前記アクセスするステップ、及び前記送信するステップは、ユーザ装置上にローカルに格納されたソフトウェアアプリケーションによって開始される、請求項１に記載の方法。
【請求項５】
前記格納されたルックアップテーブルは前記ユーザ装置上にローカルに格納されている、請求項４に記載の方法。
【請求項６】
前記格納されたルックアップテーブルは、前記第１のスピーカ及び前記第２のスピーカを含む複数のスピーカについて、論理音量レベルと音圧レベルの間の複数の測定された関係を表にしている、請求項５に記載の方法。
【請求項７】
前記複数のスピーカのうちの少なくとも１つについて、前記格納されたルックアップテーブルは、論理音量レベルの離散値のみを含み、
２つの表値の間にある論理音量レベルに対応する音圧レベルについて、前記ソフトウェアアプリケーションは、前記２つの表値のうち近い方を選択する、請求項６に記載の方法。
【請求項８】
前記複数のスピーカのうちの少なくとも１つについて、前記格納されたルックアップテーブルは、前記音圧レベルから論理音量レベルの計算を可能にする数学的関係を含む、請求項６に記載の方法。
【請求項９】
前記複数のスピーカのうちの少なくとも１つについて、前記格納されたルックアップテーブルは、前記音圧レベルが前記スピーカにとって指定された最大音圧レベル以下である論理音量レベルの値のみを含む、請求項６に記載の方法。
【請求項１０】
第１及び第２のスピーカの音量レベルを調整する方法であって、前記第１及び第２のスピーカは、それぞれ、当該スピーカに入力される論理音量レベルと当該スピーカによって生成される音圧レベルとの間に標準化されていない関係を有し、前記方法は、
ユーザインタフェースを介して、ある音圧レベルに対応する、ある選択された音量レベルを受け付けるステップと、
格納されたルックアップテーブルにアクセスして、前記音圧レベルを、前記第１及び第２のスピーカのための第１及び第２の製品固有の論理音量レベルにそれぞれ変換するステップであって、前記格納されたルックアップテーブルは前記第１及び第２のスピーカのための論理音量レベルと音圧レベルの間の前記標準化されていない複数の関係を表にしているステップと、
前記第１の製品固有の論理音量レベルに対応するデータを前記第１のスピーカに送信するステップと、
前記第２の製品固有の論理音量レベルに対応するデータを前記第２のスピーカに送信するステップと、
を備えた方法。
【請求項１１】
前記受信するステップ、前記アクセスするステップ、及び前記送信するステップは、ユーザ装置上にローカルに格納されたソフトウェアアプリケーションによって開始される、請求項１０に記載の方法。
【請求項１２】
前記格納されたルックアップテーブルは前記ユーザ装置上にローカルに格納されている、請求項１１に記載の方法。
【請求項１３】
前記格納されたルックアップテーブルは、前記第１のスピーカ及び前記第２のスピーカを含む複数のスピーカについて、論理音量レベルと音圧レベルの間の測定された関係を表にしている、請求項１２に記載の方法。
【請求項１４】
前記複数のスピーカのうちの少なくとも１つについて、前記格納されたルックアップテーブルは、論理音量レベルの離散値のみを含み、
２つの表値の間にある論理音量レベルに対応する音圧レベルについて、前記ソフトウェアアプリケーションは、前記２つの表値のうち近い方を選択する、請求項１３に記載の方法。
【請求項１５】
前記複数のスピーカのうちの少なくとも１つについて、前記格納されたルックアップテーブルは、前記音圧レベルから論理音量レベルの計算を可能にする数学的関係を含む、請求項１３に記載の方法。
【請求項１６】
前記複数のスピーカのうちの少なくとも１つについて、前記格納されたルックアップテーブルは、前記音圧レベルが前記スピーカにとって指定された最大音圧レベル以下である論理音量レベルの値のみを含む、請求項１３に記載の方法。
【請求項１７】
音量制御システムであって、
プロセッサと、
前記プロセッサによって実行可能な命令を記憶したメモリであって、前記命令は第１のスピーカの音量レベルを調整する方法を実行するように前記プロセッサによって実行可能であり、前記第１のスピーカは前記スピーカに入力される論理音量レベルと前記スピーカによって生成される音圧レベルとの間に標準化されていない関係を有する、メモリと、
を備え、
前記方法は、
ユーザインタフェースを介して、ある音圧レベルに対応する、ある選択された音量レベルを受け付けるステップと、
格納されたルックアップテーブルにアクセスして、前記音圧レベルを、前記第１のスピーカのための第１の製品固有の論理音量レベルに変換するステップであって、前記ルックアップテーブルは前記第１のスピーカのための論理音量レベルと音圧レベルの間の前記標準化されていない関係を表にしているステップと、
前記第１の製品固有の論理音量レベルに対応するデータを前記第１のスピーカに送信するステップと、
を備えた、音量制御システム。
【請求項１８】
前記方法は、
前記格納されたルックアップテーブルにアクセスして、前記音圧レベルを、第２のスピーカのための第２の製品固有の論理音量レベルに変換するステップであって、前記格納されたルックアップテーブルは、前記第２のスピーカのための論理音量レベルと音圧レベルの間の前記標準化されていない関係を表にしており、前記第１のスピーカと前記第２のスピーカは異なる製品であるステップと、
前記第２の製品固有の論理音量レベルに対応するデータを、前記第２のスピーカに送信するステップと、
を更に備えた、請求項１７に記載の音量制御システム。
【請求項１９】
前記受信するステップ、前記アクセスするステップ、及び前記送信するステップは、ユーザ装置上にローカルに格納されたソフトウェアアプリケーションによって開始され、
前記格納されたルックアップテーブルは前記ユーザ装置上にローカルに格納されている、
請求項１８に記載の音量制御システム。
【請求項２０】
前記格納されたルックアップテーブルは、前記第１のスピーカ及び前記第２のスピーカを含む複数のスピーカについて、論理音量レベルと音圧レベルの間の複数の測定された関係を表にしている、請求項１８に記載の音量制御システム。
【発明の詳細な説明】
【技術分野】
【０００１】
（優先権）
本願は２０１７年６月８日に出願された米国特許出願第１５/６１７，６９２号の利益を主張するものであり、その特許出願は参照によりここに盛り込まれる。
【０００２】
（分野）
本開示は、１つ以上のスピーカの音量レベルを調整することに関する。
【背景技術】
【０００３】
マルチスピーカシステムにおいて音量を調整する場合、あるスピーカは、音量を、別のスピーカに対して不均衡に変えないことが望ましい。例えば、異なる製造業者によって製造された２つのスピーカを含む１つのシステムでは、論理音量レベル（例えば、スピーカに送信されるデジタル値）と、スピーカによって生成される実際の音量との関係は、スピーカ間で異なり得る。そのため、これら２つのスピーカに特定の値の論理音量レベル（例えば、「１１」のレベル）を送ることによって、一方のスピーカが他方のスピーカよりも著しく大きくなる場合がある。これによりスピーカ間の不均衡を知覚することに繋がるが、これは望ましくない。
【発明の概要】
【０００４】
一例は、第１のスピーカの音量レベルを調整する方法を含むことができる。前記第１のスピーカは、前記スピーカに入力される論理音量レベルと前記スピーカによって生成される音圧レベルとの間に標準化されていない関係を有することができる。ユーザインタフェースを介して、ある音圧レベルに対応する、ある選択された音量レベルを受け付けることができる。格納されたルックアップテーブルにアクセスして、前記音圧レベルを、前記第１のスピーカのための第１の製品固有の論理音量レベルに変換することができる。前記ルックアップテーブルは、前記第１のスピーカのための論理音量レベルと音圧レベルの間の前記標準化されていない関係を表にすることができる。前記第１の製品固有の論理音量レベルに対応するデータを、前記第１のスピーカに送信することができる。
【０００５】
別の例は、第１及び第２のスピーカの音量レベルを調整する方法を含むことができる。前記第１及び第２のスピーカは、それぞれ、当該スピーカに入力される論理音量レベルと当該スピーカによって生成される音圧レベルとの間に標準化されていない関係を有することができる。ユーザインタフェースを介して、ある音圧レベルに対応する、ある選択された音量レベルを受け付けることができる。格納されたルックアップテーブルにアクセスして、前記音圧レベルを、前記第１及び第２のスピーカのための第１及び第２の製品固有の論理音量レベルにそれぞれ変換することができる。前記格納されたルックアップテーブルは前記第１及び第２のスピーカのための論理音量レベルと音圧レベルの間の前記標準化されていない複数の関係を表にすることができる。前記第１の製品固有の論理音量レベルに対応するデータを前記第１のスピーカに送信することができる。前記第２の製品固有の論理音量レベルに対応するデータを前記第２のスピーカに送信することができる。
【０００６】
別の例は、システムを含むことができる。そのシステムは、プロセッサと、前記プロセッサによって実行可能な命令を記憶したメモリとを含むことができる。この命令は第１のスピーカの音量レベルを調整する方法を実行するように前記プロセッサによって実行可能でありうる。前記第１のスピーカは、前記スピーカに入力される論理音量レベルと前記スピーカによって生成される音圧レベルとの間に標準化されていない関係を有することができる。ユーザインタフェースを介して、ある音圧レベルに対応する、ある選択された音量レベルを受け付けることができる。格納されたルックアップテーブルにアクセスして、前記音圧レベルを、前記第１のスピーカのための第１の製品固有の論理音量レベルに変換することができる。前記ルックアップテーブルは、前記第１のスピーカのための論理音量レベルと音圧レベルの間の前記標準化されていない関係を表にすることができる。前記第１の製品固有の論理音量レベルに対応するデータを、前記第１のスピーカに送信することができる。
【図面の簡単な説明】
【０００７】
【図１】図１は、いくつかの例による、単一のスピーカの、又はマルチスピーカオーディオシステムにおける１つ若しくは複数のスピーカの音量を制御することができる音量制御システムの一例に係るブロック図を示す。
【０００８】
【図２】図２は、いくつかの例による、スピーカの音量レベルを調整する方法の一例に係るフローチャートを示す。
【０００９】
【図３】図３は、いくつかの例による、１つのスピーカの音量を調整するために、又はマルチスピーカシステムにおいて２つ以上のスピーカの音量を同時に調整するために使用することが可能な音量制御システムの一例を示すブロック図である。
【００１０】
対応する参照文字は、いくつかの図を通して対応する部分を指示する。図面における要素は、必ずしも一定の縮尺で描かれていない。図面に示す構成は例にすぎず、いかなる態様であれ本発明の範囲を限定するものとして解されてはならない。
【発明を実施するための形態】
【００１１】
図１は、いくつかの例による、単一のスピーカの、又はマルチスピーカオーディオシステムにおける１つ若しくは複数のスピーカの、音量を制御することができる音量制御システムの一例のブロック図を示す。
【００１２】
この例では、スピーカ１０２Ａと１０４Ａは、整合されたスピーカ対（例えば、同一の製品に係る２つのユニット）である。スピーカ１０６Ｂは、１０２Ａ及び１０４Ａとは異なるスピーカ製品であり、同一の製造業者又は異なる製造業者によって製造される場合がある。スピーカ１０２Ａ、１０４Ａ、及び１０６Ｂは、それぞれ、スピーカに入力される論理音量レベルとスピーカにより生成される音圧レベルとの間に標準化されていない関係を有する場合がある。スピーカ１０６Ｂは、論理音量レベルと音圧レベルの間に、スピーカ１０２Ａ及び１０４Ａとは異なる関係を有する場合がある。
【００１３】
この音量制御システムは、ユーザ装置１０８上のアプリケーションとして動作することができる。アプリケーションは、ユーザ装置の画面上でユーザに対してユーザインタフェースを提示することができる。ユーザは、ユーザインタフェース上で所望の音量レベルを選択する。この例では、所望の音量レベルは「５」である。
【００１４】
本例では、所望の音量レベルは、標準化されていない単位で指定される。アプリケーションは、所望の音量「５」を、標準化された音量尺度に変換することができる。本例では標準化された音量の尺度は音圧レベルであるが、他の標準化された尺度を使用することもできる。本例では、アプリケーションは、「５」を、６０デシベルの音圧レベル、即ち６０ｄＢｓｐＬに変換する。
【００１５】
アプリケーションは、各スピーカのために、ルックアップテーブルにアクセスして、その音圧レベルを製品固有の論理音量レベルに変換することができる。ルックアップテーブルは、アプリケーションの所有者又は操作者によって維持することができ、各スピーカについての測定データを含むことができる。この測定データにより、スピーカに送られた論理音量レベルとスピーカによって生成された音圧レベルとの関係を表にすることができる。本例では、アプリケーションは、６０ｄＢｓｐＬを、スピーカ１０２Ａ及び１０４Ａについては「３」、スピーカ１０６Ｂについては「６」の論理音量レベルに変換することができる。すなわち、スピーカ１０２Ａを「３」に設定すると音圧レベルは６０ｄＢｓｐＬとなり、スピーカ１０４Ａを「３」に設定すると音圧レベルは６０ｄＢｓｐＬとなり、スピーカ１０６Ｂを「６」に設定すると音圧レベルは６０ｄＢｓｐＬとなる。
【００１６】
アプリケーションは、各製品に固有の論理音量レベルに対応するデータを、それぞれのスピーカに送信することができる。本例では、アプリケーションは、３の論理音量レベルをスピーカ１０２Ａ及び１０４Ａに送信し、６の論理音量レベルをスピーカ１０６Ｂに送信する。
【００１７】
アプリケーションが音量をこのように調整することにより、あるスピーカの音量が別のスピーカよりも不均衡に上げたり下げたりすることがないように、複数のスピーカの音量を一斉に調整できるようになる。
【００１８】
図２は、いくつかの例による、あるスピーカの音量レベルを調整する方法の一例に係るフローチャートを示す。この方法はまた、第１のスピーカ及び第２のスピーカの音量レベルを調節することもできる、即ちマルチスピーカサウンドシステム等における任意の適切な数のスピーカの音量レベルを調節することもできる。いくつかの例では、本方法は、音量レベルを同時に調節することができる。いくつかの例では、本方法は、スマートフォン、タブレット、ラップトップ、コンピュータ、コンピューティングデバイス、又は他の適切な装置等のユーザ装置上に、ローカルに格納されたソフトウェアアプリケーションによって実行可能である。
【００１９】
スピーカは、スピーカに入力される論理音量レベルとスピーカにより生成される音圧レベルとの間に、標準化されていない関係を有する場合がある。往々にして、論理音量レベルは、製品間で又は製造業者間で標準化されないことがある。例えば、３の論理音量レベルが、ある特定のスピーカ製品については５０ｄＢｓｐＬの音圧レベルを生成し、別のスピーカ製品については５５ｄＢｓｐＬを生成する場合がある。これらの数値は一例であり、他の適当な数値を使用することもできる。
【００２０】
動作２０２において、ソフトウェアアプリケーションは、ユーザインタフェースを介して、ある音圧レベルに対応する、選択された音量レベルを受け付けることができる。いくつかの例では、ソフトウェアアプリケーションは、ユーザインタフェースをユーザ装置の画面上に表示することができる。いくつかの例では、画面をタッチセンシティブとすることができる。いくつかの例では、ソフトウェアアプリケーションは、タッチセンシティブ画面上で選択された音量レベルを受け付けることができる。いくつかの例では、ユーザインタフェースは、遠隔制御装置上の音量制御部に類似する１つ又は複数の制御部を含むことができる。例えば、ユーザは、ユーザインタフェース上で「３」の音量レベルを選択することができる。
【００２１】
選択された音量レベル３は製品間で又は製造業者間で標準化されていないので、ソフトウェアは選択された音量レベルを音圧レベルに関連付けることができる。音圧レベルは標準化され、音波によって引き起こされる、周囲の（平均の、即ち平衡な）大気圧からの局所的な圧力の偏差として定義される。例えば、ソフトウェアは、選択された音量レベル３を６０ＣＩＢＳＰＬの音圧レベルに関連付けることができ、この音圧レベルは１メートルの距離での会話音声の場合のような比較的静かな音量にほぼ対応づけ可能である。ユーザが音量を１１に上げる場合、ソフトウェアは、１１の選択された音量レベルを１００ｄＢｓｐＬの音圧レベルと関連付けることができ、この音圧は騒がしいナイトクラブのスピーカから１メートル離れた場所のような比較的大きな音量にほぼ対応づけ可能である。なお、これらの数値は一例であり、他の適当な値を用いてもよい。
【００２２】
動作２０４において、ソフトウェアアプリケーションは、そのスピーカのために、記憶されたルックアップテーブルにアクセスして、その音圧レベルを、製品固有の論理音量レベルに変換することができる。記憶されたルックアップテーブルは、そのスピーカについて、またオプションで追加のスピーカ製品について、論理音量レベルと音圧レベルの間の標準化されていない関係を表にすることができる。ルックアップテーブルはある特定のスピーカの論理値を提供することができ、その論理値はそのスピーカのためのある具体的な音圧レベルを生成する。同一の製造業者によって製造された同一製品の２つのユニットからなる一対のスピーカのような整合されたスピーカの場合、ルックアップテーブルは、整合されたスピーカの全てをカバーする１つの表を含むことができる。格納されたルックアップテーブルは、商業的に入手可能な各スピーカ製品について、測定された複数の値からなる１つの集合を含むことが意図されている。格納されたルックアップテーブルは、同一のスピーカ製品の部品間の相違に対処することは意図されていない。
【００２３】
いくつかの例では、格納されたルックアップテーブルは、ソフトウェアアプリケーションの製造業者によって維持又は更新することができ、格納されたルックアップテーブルに含まれるスピーカの各々について、論理音量レベルと音圧レベルの間の測定された関係を含むことができる。いくつかの例では、格納されたルックアップテーブルは、上市された追加のスピーカ製品を含むように必要に応じて更新可能である。いくつかの例では、２つ以上の記憶されたルックアップテーブルを使用することができる。いくつかの例では、格納されたルックアップテーブルは、ユーザ装置上にローカルに格納することができる。いくつかの例では、格納されたルックアップテーブルは、少なくとも２つのスピーカが異なる製品である複数のスピーカについて、論理音量レベルと音圧レベルの間の標準化されていない関係を表にすることができる。
【００２４】
いくつかの例では、複数のスピーカのうちの少なくとも１つについて、格納されたルックアップテーブルは、論理音量レベルの離散値のみを含むことができる。これらの例では、表にされた２つの値の間にある論理音量レベルに対応する音圧レベルに対して、ソフトウェアアプリケーションは２つの表値のうち近いものを選択することができる。例えば、ある指定された音圧レベルが７３ｄＢｓｐＬであり、論理音量レベルが５の場合７２ｄＢｓｐＬ、論理音量レベルが６の場合７５ｄＢｓｐＬのルックアップテーブルの表値の場合、ソフトウェアアプリケーションは、５の論理音量レベルを、その指定された音圧レベルにより近いものとして選択することができる。これは一数値例に過ぎず、他の適当な値を使用することもできる。
【００２５】
他のいくつかの例では、ソフトウェアアプリケーションは、離散値の間にある中間論理音量レベルを生成するように補間することができる。いくつかの例では、複数のスピーカのうちの少なくとも１つについて、記憶されたルックアップテーブルは、音圧レベルから論理音量レベルの計算を可能にする数学的関係を含むことができる。いくつかの例では、複数のスピーカのうちの少なくとも１つについて、記憶されたルックアップテーブルは、音圧レベルが、そのスピーカについて指定された最大音圧レベル以下である論理音量レベルの値だけを含むことができ、これによりそのスピーカに対して損壊を与えることを防止することができる。
【００２６】
動作２０６において、ソフトウェアアプリケーションは、第１の製品固有論理音量レベルに対応するデータを、第１のスピーカに対して送信することができる。ソフトウェアアプリケーションが複数のスピーカを制御することができるいくつかの例では、ソフトウェアアプリケーションは、各製品に固有の論理音量レベルに対応するデータを、それぞれのスピーカに送信することができる。
【００２７】
いくつかの例では、動作２０２における受信、動作２０４におけるアクセス、及び動作２０６における送信は、ソフトウェアアプリケーションによって自動的に開始され得る。他のいくつかの例では、これらの動作のうちの１つ又は複数は、ユーザ装置上のソフトウェアアプリケーションと接続されたサーバによって自動的に開始され得る。
【００２８】
図３は、いくつかの例による、１つのスピーカの音量を調整し、又はマルチスピーカシステムにおいて２つ以上のスピーカの音量を同時に調整するために使用することができる、音量制御システム３００の一例を示すブロック図である。音量制御システム３００はそのような音量制御システムの一例であるが、他の適当な音量制御システムを使用することもできる。いくつかの例では、音量制御システム３００は図２の方法２００を実行することができ、他の適当な音量制御システムもまた図２の方法２００を実行することができる。
【００２９】
いくつかの例では、音量制御システム３００は、スマートフォン、タブレット、ラップトップ、コンピュータ、又は他の適切な装置などの、ユーザ装置上で実行可能なソフトウェアとして構成することができる。図３の具体例では、音量制御システム３００は、スマートフォンなどのモバイル装置３０２上で実行することができるソフトウェアアプリケーションを含む。
【００３０】
音量制御システム３００は、プロセッサ３０４と、プロセッサ３０４によって実行可能な命令を記憶するメモリデバイス３０６とを含むことができる。その命令は、プロセッサ３０４によって実行されて、マルチスピーカシステムにおいて、第１のスピーカ、第１のスピーカ及び第２のスピーカ、又は３つ以上のスピーカの音量レベルを調整する方法を実行することができる。
【００３１】
モバイル装置３０２は、プロセッサ３０４を含むことができる。プロセッサ３０４は、モバイル装置３０２に適した様々な異なる種類の市販のプロセッサ３０４（例えば、ＸＳｃａｌｅアーキテクチャマイクロプロセッサ、ＭＩＰＳ（microprocessor  without  interlocked  pipeline  stages：インタロックされたパイプラインステージのないマイクロプロセッサ）アーキテクチャプロセッサ、又は他のタイプのプロセッサ３０４）のいずれであってもよい。ＲＡＭ（ランダムアクセスメモリ)、フラッシュメモリ、又は他のタイプのメモリなどのメモリ３０６は、通常、プロセッサ３０４にとってアクセス可能である。メモリ３０６は、ＯＳ（オペレーティングシステム）３０８や、位置有効化モバイル（ａ  ｍｏｂｉｌｅ  ｌｏｃａｔｉｏｎ  ｅｎａｂｌｅｄ）などのアプリケーションプログラム３１０を記憶するように適応されうる。いくつかの例では、メモリ３０６は、上述のルックアップテーブルを記憶することができる。プロセッサ３０４は、直接に又は適当な中間ハードウェアを介して、ディスプレイ３１２と、キーパッド、タッチパネルセンサ、マイクロフォンなどの１つ又は複数の入出力（Ｉ/Ｏ）装置３１４とに接続されてよい。いくつかの例では、ディスプレイ３１２は、ユーザインタフェースをユーザに表示することができ、ユーザから所望の音量レベルの選択を受け付けることができる。同様に、いくつかの例では、プロセッサ３０４は、アンテナ３１８とインタフェースする送受信機３１６に接続されてよい。送受信機３１６は、モバイル装置３０２の性質に応じて、アンテナ３１８を介してセルラネットワーク信号、ワイヤレスデータ信号、又は他のタイプの信号を送受信するように構成可能である。さらに、いくつかの構成では、ＧＰＳ受信機３２０も、アンテナ３１８を利用してＧＰＳ信号を受信することができる。いくつかの例では、送受信機３１６は、マルチスピーカシステム内のそれぞれのスピーカの論理音量レベルに対応する信号をワイヤレスネットワーク上で送信することができる。
【００３２】
本発明を例示的な設計を有するものとして説明してきたが、本発明は、本開示の範囲内でさらに修正され得る。したがって、本願は、本発明の、その一般的な原理を使用する、任意の変形、使用、又は適応を含むことを意図している。さらに、本願は、本発明が属する技術分野において公知の又は慣例的な実践の範囲内であって且つ添付の特許請求の範囲の範囲内にあるような、本開示とは異なる事項を含むことを意図している。
【図１】
2020526064.tif 000003
【図２】
2020526064.tif 000004
【図３】
2020526064.tif 000005
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
第１のスピーカの音量レベルを調整する方法であって、前記第１のスピーカは、前記スピーカに入力される論理音量レベルと前記スピーカによって生成される音圧レベルとの間に標準化されていない関係を有し、前記方法は、
ユーザインターフェイスを介して、ある音圧レベルに対応する、ある選択された音量レベルを受け付けるステップと、
格納されたルックアップテーブルにアクセスして、前記音圧レベルを、前記第１のスピーカのための第１の製品固有の論理音量レベルに変換するステップであって、前記第１のスピーカについての論理音量レベルと音圧レベルの間の前記関係は前記第１のスピーカに送られるオーディオコンテンツから独立しており、前記ルックアップテーブルは前記第１のスピーカを含む複数の製品固有のスピーカのための論理音量レベルと音圧レベルの間の複数の標準化されていない関係を表にしているステップと、
前記第１の製品固有論理音量レベルに対応するデータを前記第１のスピーカに送信するステップと、
を備えた方法。
【請求項２】
前記格納されたルックアップテーブルにアクセスして、前記音圧レベルを、前記複数の製品固有のスピーカのうちの第２のスピーカのための第２の製品固有の論理音量レベルに変換するステップであって、前記格納されたルックアップテーブルは、前記第２のスピーカのための論理音量レベルと音圧レベルの間の標準化されていない関係を表にしており、前記第１のスピーカと前記第２のスピーカは異なる製品であるステップを更に備えた、請求項１に記載の方法。
【請求項３】
前記第２の製品固有の論理音量レベルに対応するデータを、前記第２のスピーカに送信するステップを更に備えた、請求項２に記載の方法。
【請求項４】
前記受信するステップ、前記アクセスするステップ、及び前記送信するステップは、ユーザ装置上にローカルに格納されたソフトウェアアプリケーションによって開始される、請求項１に記載の方法。
【請求項５】
前記格納されたルックアップテーブルは前記ユーザ装置上にローカルに格納されている、請求項４に記載の方法。
【請求項６】
前記格納されたルックアップテーブルは、前記第１のスピーカ及び前記第２のスピーカを含む前記複数の製品固有のスピーカについて、論理音量レベルと音圧レベルの間の複数の測定された関係を表にしている、請求項５に記載の方法。
【請求項７】
前記複数の製品固有のスピーカのうちの少なくとも１つについて、前記格納されたルックアップテーブルは、論理音量レベルの離散値のみを含み、
２つの表値の間にある論理音量レベルに対応する音圧レベルについて、前記ソフトウェアアプリケーションは、前記２つの表値のうち近い方を選択する、請求項６に記載の方法。
【請求項８】
前記複数の製品固有のスピーカのうちの少なくとも１つについて、前記格納されたルックアップテーブルは、前記音圧レベルから論理音量レベルの計算を可能にする数学的関係を含む、請求項６に記載の方法。
【請求項９】
前記複数の製品固有のスピーカのうちの少なくとも１つについて、前記格納されたルックアップテーブルは、前記音圧レベルが前記スピーカにとって指定された最大音圧レベル以下である論理音量レベルの値のみを含む、請求項６に記載の方法。
【請求項１０】
第１及び第２のスピーカの音量レベルを調整する方法であって、前記第１及び第２のスピーカは、それぞれ、当該スピーカに入力される論理音量レベルと当該スピーカによって生成される音圧レベルとの間に標準化されていない関係を有し、前記方法は、
ユーザインターフェイスを介して、ある音圧レベルに対応する、ある選択された音量レベルを受け付けるステップと、
格納されたルックアップテーブルにアクセスして、前記音圧レベルを、前記第１及び第２のスピーカのための第１及び第２の製品固有の論理音量レベルにそれぞれ変換するステップであって、前記第１のスピーカについての論理音量レベルと音圧レベルの間の前記関係は前記第１のスピーカに送られるオーディオコンテンツから独立しており、前記第２のスピーカについての論理音量レベルと音圧レベルの間の前記関係は前記第２のスピーカに送られるオーディオコンテンツから独立しており、前記格納されたルックアップテーブルは前記第１及び第２のスピーカのための論理音量レベルと音圧レベルの間の前記標準化されていない複数の関係を表にしているステップと、
前記第１の製品固有の論理音量レベルに対応するデータを前記第１のスピーカに送信するステップと、
前記第２の製品固有の論理音量レベルに対応するデータを前記第２のスピーカに送信するステップと、
を備えた方法。
【請求項１１】
前記受信するステップ、前記アクセスするステップ、及び前記送信するステップは、ユーザ装置上にローカルに格納されたソフトウェアアプリケーションによって開始される、請求項１０に記載の方法。
【請求項１２】
前記格納されたルックアップテーブルは前記ユーザ装置上にローカルに格納されている、請求項１１に記載の方法。
【請求項１３】
前記格納されたルックアップテーブルは、前記第１のスピーカ及び前記第２のスピーカを含む複数のスピーカについて、論理音量レベルと音圧レベルの間の測定された関係を表にしている、請求項１２に記載の方法。
【請求項１４】
前記複数のスピーカのうちの少なくとも１つについて、前記格納されたルックアップテーブルは、論理音量レベルの離散値のみを含み、
２つの表値の間にある論理音量レベルに対応する音圧レベルについて、前記ソフトウェアアプリケーションは、前記２つの表値のうち近い方を選択する、請求項１３に記載の方法。
【請求項１５】
前記複数のスピーカのうちの少なくとも１つについて、前記格納されたルックアップテーブルは、前記音圧レベルから論理音量レベルの計算を可能にする数学的関係を含む、請求項１３に記載の方法。
【請求項１６】
前記複数のスピーカのうちの少なくとも１つについて、前記格納されたルックアップテーブルは、前記音圧レベルが前記スピーカにとって指定された最大音圧レベル以下である論理音量レベルの値のみを含む、請求項１３に記載の方法。
【請求項１７】
音量制御システムであって、
プロセッサと、
前記プロセッサによって実行可能な命令を記憶したメモリであって、前記命令は第１のスピーカの音量レベルを調整する方法を実行するように前記プロセッサによって実行可能であり、前記第１のスピーカは前記スピーカに入力される論理音量レベルと前記スピーカによって生成される音圧レベルとの間に標準化されていない関係を有する、メモリと、
を備え、
前記方法は、
ユーザインターフェイスを介して、ある音圧レベルに対応する、ある選択された音量レベルを受け付けるステップと、
格納されたルックアップテーブルにアクセスして、前記音圧レベルを、前記第１のスピーカのための第１の製品固有の論理音量レベルに変換するステップであって、前記第１のスピーカについての論理音量レベルと音圧レベルの間の前記関係は前記第１のスピーカに送られるオーディオコンテンツから独立しており、前記ルックアップテーブルは前記第１のスピーカを含む複数の製品固有のスピーカのための論理音量レベルと音圧レベルの間の複数の標準化されていない関係を表にしているステップと、
前記第１の製品固有論理音量レベルに対応するデータを前記第１のスピーカに送信するステップと、
を備えた、音量制御システム。
【請求項１８】
前記方法は、
前記格納されたルックアップテーブルにアクセスして、前記音圧レベルを、前記複数の製品固有のスピーカのうちの第２のスピーカのための第２の製品固有の論理音量レベルに変換するステップであって、前記格納されたルックアップテーブルは、前記第２のスピーカのための論理音量レベルと音圧レベルの間の前記標準化されていない関係を表にしており、前記第１のスピーカと前記第２のスピーカは異なる製品であるステップと、
前記第２の製品固有の論理音量レベルに対応するデータを、前記第２のスピーカに送信するステップと、
を更に備えた、請求項１７に記載の音量制御システム。
【請求項１９】
前記受信するステップ、前記アクセスするステップ、及び前記送信するステップは、ユーザ装置上にローカルに格納されたソフトウェアアプリケーションによって開始され、
前記格納されたルックアップテーブルは前記ユーザ装置上にローカルに格納されている、
請求項１８に記載の音量制御システム。
【請求項２０】
前記格納されたルックアップテーブルは、前記第１のスピーカ及び前記第２のスピーカを含む前記複数の製品固有のスピーカについて、論理音量レベルと音圧レベルの間の複数の測定された関係を表にしている、請求項１８に記載の音量制御システム。
【国際調査報告】
2020526064.tif 000006
2020526064.tif 000007